(57)【要約】      （修正有）【課題】安全保護具を通すとともに空気の出入りを防ぐ開口部を簡易に作成することができる作業服を提供する。【解決手段】作業服は、安全保護具が通される開口部５を有し、開口部を塞ぐように一対の開口片６と開口片７が重ね合わされて後身頃２に縫合され、開口片６は上側及び左右側の各辺が後身頃に縫合され、開口片７は下側及び左右側の各辺が後身頃に縫合され、一対の開口片６、７に一対の収縮片８、９が縫合されている。一対の収縮片は伸縮性を有し、収縮片８は左側及び上下側の各辺が開口片６、７に縫合され、収縮片９は右側及び上下側の各辺が開口片６、７に縫合されている。【選択図】図２
0003215574.tif 000002
【実用新案登録請求の範囲】
【請求項１】
後身頃に設けられた開口部に安全保護具が通される作業服であって、前記開口部を両側から塞ぐように一対の開口片が重ね合わされて後身頃に縫合され、前記一対の開口片を橋渡しするように一対の収縮片が縫合されており、前記一対の収縮片は伸縮性を有し、かつ前記一対の収縮片は、前記開口部の長さ方向の左右両側に設けられていることを特徴とする作業服。
【請求項２】
請求項１の作業服において、前記一対の収縮片の夫々は左右一方側において、前記一対の開口片の両方に縫合されていることを特徴とする作業服。
【考案の詳細な説明】
【技術分野】
【０００１】
本考案は、安全器具を装着して着用できる作業服に関するものである。
【背景技術】
【０００２】
高所作業員は墜落防止のために安全帯を装着しており、ハーネス型安全帯を装着した上に作業服を着用できるよう、作業服の後身頃に開口部を設け、開口部からハーネス型安全帯を通してランヤードに接続して使用できるようになっている。
【０００３】
開口部から空気の出入りを防ぐために、後身頃に設けられた孔に閉塞部が設けられている。閉塞部は、上側開口片と下側開口片が重ね合わされて後身頃に縫合され、上下方向に開くことにより、開口部が開口される。さらに、開口部の内側に収縮部が設けられている。収縮部はゴム製で閉塞部と同様の構成で、上側収縮片と下側収縮片が重ね合わされて後身頃に縫合され、上下方向に開くことにより、開口部が開口される。この構成により、ハーネス型安全具の係止具を開口部から出した際、収縮部が収縮するため空気の出入りを防ぐことができる（特許文献１参照）。
【先行技術文献】
【特許文献】
【０００４】
【特許文献１】実用新案登録第３２１１０６３号公報
【考案の概要】
【考案が解決しようとする課題】
【０００５】
しかし、収縮部は閉塞部と開く方向が同じため、安全具の係止具を開口部から出した際、ハーネス型安全帯の係止具の上下を塞げても、左右に隙間ができてしまう。また、空気の出入りを防ぐため、筒状のカバーを備えた作業服もあるが、作成に手間がかかる。
そこで、本考案は、空気の出入りを防ぐ開口部を簡易に作成することができる作業服を提供することを目的とする。
【課題を解決するための手段】
【０００６】
上記目的を達成するために、本考案の作業服は、後身頃に設けられた開口部に安全保護具が通される作業服であって、前記開口部を両側から塞ぐように一対の開口片が重ね合わされて後身頃に縫合され、前記一対の開口片を橋渡しするように一対の収縮片が縫合されており、前記一対の収縮片は伸縮性を有し、かつ前記一対の収縮片は、前記開口部の長さ方向の左右両側に設けられていることを特徴とする。
【考案の効果】
【０００７】
この考案によれば、一対の収縮片は伸縮性があるため、一対開口片が上下方向に開くのを抑え、ハーネス型安全帯の係止具の上下を上下一対の開口片で塞ぎ、左右を左右一対の収縮片で塞ぐことにより、空気の抜けを最小限にすることができる。
【図面の簡単な説明】
【０００８】
【図１】本考案に係る作業服の背面図である。
【図２】開口部の構造を説明する図であって、図２Ａは開口部の表側の説明図、図２Ｂは開口部の裏側において収縮片を縫合した後の状態の説明図、図２Ｃは開口部の裏側において収縮片を縫合する前の状態の説明図、図２ＤはＸ−Ｘ断面図、図２ＥはＹ−Ｙ断面図である。
【図３】開口部の作用を示す図であって、図３Ａは開口部の表側で開口部を開いた状態の説明図、図３Ｂは開口部の表側でハーネス型安全帯の係止具を開口部から出した状態の説明図、図３Ｃは開口部の裏側でハーネス型安全帯の係止具を開口部から出した状態の説明図である。
【考案を実施するための形態】
【０００９】
以下、本考案に係る作業服の一実施の形態について、図面を用いて説明する。
図１において、作業服（上着）１は後身頃２、袖３、襟４等からなる。後身頃２の幅方向の中央に開口部５がある。開口部５は、作業服１の下に作業者が装着したハーネス型安全具を挿通可能とする孔である。図においては、開口部５は、幅方向に長い長方形であるが、縦方向に長いものでも良い。
【００１０】
開口部５は後身頃２に設けられた開口部５の周囲に一対の開口片６と開口片７が縫合糸５１ａ、５１ｂ、５２ａ、５２ｂにより縫合されている。図２Ａ−２Ｃにおいて、開口部５の長さ方向をａ方向とし、これに直交する方向をｂ方向とすると、後ろ身頃２を表側から見た図２Ａにおいて、開口部５を、開口片６が塞ぐように見えている。一方、後身頃２を裏側から見た図２Ｂにおいて、開口部５の上側のａ方向に開口片６が縫合糸５１ａにより縫合され、開口部５の左右側のｂ方向に開口片６が縫合糸５２ａ、５２ｂにより縫合されている。、開口部５の上側の下側ａ方向に開口片７が縫合糸５１ｂにより縫合され、開口部５の左右側のｂ方向に開口片７が縫合糸５２ａ、５２ｂにより縫合されている。
【００１１】
開口片６と開口片７は、開口部５を上下の両側から塞ぐように一部が重ね合わされて後身頃２に縫合されている。開口片６と開口片７には、さらに、縫い代６ａ、７ａが形成されている。開口部５のａ方向の左右両側から開口部５の一部を塞ぐように、互いの間隔を開けて一対の収縮片８、収縮片９が縫い代６ａ、７ａを橋渡しするように縫合されている。図２Ｃは、収縮片８、収縮片９の縫合位置を図２Ｂとの比較で示すために、収縮片８、収縮片９を取り外した状態で表されている。
【００１２】
収縮片８及び収縮片９は伸縮性を有しており、収縮片８は上下側の各辺が縫い代６ａ、７ａに対して縫合糸５３ａ、５３ｂにより縫合され、収縮片９は上下側の各辺が縫い代６ａ、７ａに対して縫合糸５５ａ、５５ｂにより縫合されている。収縮片８はさらに、その左側を縫い代６ａ、７ａの両方に対して縫合糸５４により縫合され、収縮片９はその右側を縫い代６ａ、７ａの両方に対して縫合糸５６により縫合されている。
【００１３】
図２Ｄ、図２Ｅにおいて、Ｘ−Ｘ断面及びＹ−Ｙ断面が示されている。後身頃２の表側（図の右側）において、開口片６が開口部５を塞いでおり、その後ろ側に開口片７が一部重複している状態が示されている。図中上下に位置する縫い代６ａ、７ａを橋渡しするように収縮片８、収縮片９が縫合糸５３ａ、５５ａ、５３ｂ、５５ｂにより縫合されている。また、Ｙ−Ｙ断面に示されるように、開口部５の中央付近では、収縮片８、収縮片９が離れており、この間を使って、ハーネス型安全帯の係止具１０が後身頃２を貫通する。
【００１４】
図３には、本実施例による作業服の作用が示されている。図３Ａにおいて、開口片６と開口片７とをｂ方向に開くことにより、開口部５が開口される。図３Ｂは、開口部５の表側でハーネス型安全帯の係止具１０を開口部から出した状態の説明図である。収縮片８及び収縮片９は、開口片６及び開口片７がｂ方向に開く動きに対して、その伸縮性により開口片６及び開口片７を逆に引きつけるように作用する。図３Ｃを参照し、後身頃２の裏側から、収縮片８及び収縮片９の作用を説明する。開口片６及び開口片７がｂ方向に開く動きＦ１に対して、収縮片８及び収縮片９は収縮して上下に開度が広がることを抑える。また、ハーネス型安全帯の係止具１０が収縮片８及び収縮片９に当接して係止具１０に倣って変形する。このように、係止具１０の左右に密着して、左右一対の収縮片で塞ぐことにより、空気の抜けを最小限にすることができる。
【００１５】
また、左右に押し広げる動きＦ２が生じるが、この動きＦ２に対して、収縮片８及び収縮片９がさらに引き延ばされて、開口片６及び開口片７をより強く塞ぐ方向に収縮力を発揮する。このような作用により、さらに開口部５から空気の抜けを最小限にする。
【００１６】
本実施例においては、縫合糸５４及び縫合糸５６により、縫い代６ａ、７ａに対して縫合したが、縫合しなくても良い。また、収縮片８、収縮片９との間の間隔が狭ければ若しくは、収縮片８、収縮片９が互いに重なっていれば、ハーネス型安全帯の係止具１０を取り出しにくいものになるが、開口部５の閉鎖力は向上する。
【００１７】
上記実施例においては、開口部５が作業服１の幅方向に長さを持つ物を示したが、縦方向であっても斜め方向であっても良い。また、上記実施例においては、通常の作業服への適用例を示したが、本考案の開口部は冷却ファンを装備した作業服にも取り付けることも可能で有る。また防寒着などその他の作業着にも取り付けることも可能で有り、そのような開口部を有する作業着は、開口部から冷気が入ってこない、ハーネスを取り付けた上から服を着用することによりスッキリとした見た目になるという効果を奏する。
【符号の説明】
【００１８】
１    作業服
２    後身頃
３    袖
４    襟
５    開口部
６、７    開口片
８、９  収縮片
１０  係止具
【図１】
0003215574.tif 000003
【図２】
0003215574.tif 000004
【図３】
0003215574.tif 000005